(57)【要約】      （修正有）【課題】自動停電装置を具えたシュレッダーを提供する。【解決手段】この自動停電装置を具えたシュレッダーは、シュレッダーコア１、シュレッダーコアモータの動作制御用のスライドスイッチ２及び全体回路制御用のスイッチ３１等よりなるトリガスイッチを包含し、該トリガスイッチはシュレッダーコア１の入紙口１１部分に設置され、該スライドスイッチの傍らに該トリガスイッチを起動するトリガ部材が設置される。シュレッダーが不使用の時、シュレッダーは即刻自動停電し、電気エネルギーを節約する。シュレッダーが退紙状態の時、回路が通じ、シュレッダーの退紙機能に影響を与えない。【選択図】図３
0003162107.tif 000002
【実用新案登録請求の範囲】
【請求項１】
シュレッダーコア、シュレッダーコアの回路動作状態を制御するスライドスイッチ、及び全体回路を制御するトリガスイッチを包含する自動停電装置を具えたシュレッダーにおいて、該トリガスイッチはシュレッダーコアの入紙口部分に設置され、該スライドスイッチの傍らに該トリガスイッチを起動するトリガ部材が設置されたことを特徴とする、自動停電装置を具えたシュレッダー。
【請求項２】
請求項１記載の自動停電装置を具えたシュレッダーにおいて、該トリガスイッチがスイッチと、該スイッチと連動する可動部材及び弾性部材を包含し、該可動部材の一端が該入紙口の入紙チャネル内に延伸され、別端は該弾性部材に圧接し並びに該スイッチと連動し、該入紙チャネル内を通る紙の該可動部材に対する圧迫力により該弾性部材を制圧して該スイッチをトリガすることを特徴とする、自動停電装置を具えたシュレッダー。
【請求項３】
請求項２記載の自動停電装置を具えたシュレッダーにおいて、該トリガ部材はシュレッダーコア内に枢着されたレバーとされ、その一端はトリガスイッチの可動部材の突出部を押圧し、別端はスライドスイッチの一側に位置し、スライドスイッチのスライドによりトリガ部材が駆動されてトリガスイッチを起動することを特徴とする、自動停電装置を具えたシュレッダー。
【請求項４】
請求項１記載の自動停電装置を具えたシュレッダーにおいて、該シュレッダーコアの入紙口にセンサスイッチが設けられ、該センサスイッチは該トリガスイッチとシュレッダーコア回路の間に直列に接続されることを特徴とする、自動停電装置を具えたシュレッダー。
【請求項５】
請求項４記載の自動停電装置を具えたシュレッダーにおいて、該センサスイッチは赤外線センサスイッチとされたことを特徴とする、自動停電装置を具えたシュレッダー。
【考案の詳細な説明】
【技術分野】
【０００１】
本考案は一種のシュレッダーに係り、特に、機械と電子を結合した自動停電装置を指す。
【背景技術】
【０００２】
廃棄される文書の処理が不当であると、我々の仕事に多くの面倒をもたらし、さらには経営の安全に厳重な影響をもたらす。従来は焼却処理されていたが、焼却場が必要であり且つ厳重な空気汚染を引き起こし得る。このような状況を改善するため、各種のシュレッダーが生まれた。
【０００３】
図１は現在市場で採用されている電動シュレッダーの電気回路図である。それは通常
、三つのスイッチを有し、そのうち、スイッチ５１は総スイッチとされ、このスイッチを操作して電源を投入すると、全体のシュレッダーが待機状態となる。スイッチ５２はスライドスイッチで、このスイッチは、自動起動ＡＵＴＯ、切断ＯＦＦ、反転ＲＥＶの三つのシフト位置を有する。スライドスイッチが自動起動位置にある時、シュレッダーはすぐには動作しないで待機状態とされ、廃棄される文書、紙がシュレッダーの入口に挿入されることで、入口内のトリガスイッチ５３を駆動し、この時、シュレッダーのモータが起動し、文書、紙を粉砕する。スライドスイッチが反転状態にある時、トリガスイッチ５３は作用せず、モータは直接通電し反転開始する。
【０００４】
一般の状況で、シュレッダーが使用される時、通常はシュレッダーのスイッチはオン状態とされ、このとき、待機状態下のシュレッダーのＬＥＤ及び一部の回路は電源が導通した状態であり、待機時間が長くなるほど、消耗する電源も多くなる。浪費を減らし、エネルギー資源を節約するため、本考案は一種の自動停電装置を提供する。
【考案の概要】
【考案が解決しようとする課題】
【０００５】
本考案が解決しようとする技術問題は、既存の技術の不足を克服することにあり、すなわち、自動停電装置を具えたシュレッダーを提供し、シュレッダーの待機状態での電気損耗の問題を解決することにある。
【課題を解決するための手段】
【０００６】
上述の技術問題を解決するため、本考案の自動停電装置を具えたシュレッダーは、シュレッダーコア、シュレッダーコアモータの動作制御用のスライドスイッチ及び全体回路制御用のトリガスイッチを包含し、該トリガスイッチはシュレッダーコアの入紙口部分に設置され、該スライドスイッチの傍らに該トリガスイッチを起動するトリガ部材が設置される。
【０００７】
上述のトリガスイッチは、スイッチと、該スイッチと協働する可動部材及び弾性部材を包含し、そのうち、可動部材の一端は入紙口の入紙チャネル内に延伸され、別端は該弾性部材上に圧接し、並びにスイッチと協働し、入紙チャネルを通る紙の該可動部材に対する圧迫力により該弾性部材を制圧してスイッチをトリガする。
【０００８】
トリガスイッチを起動するトリガ部材はシュレッダーコア内に枢着されたレバーとされ、その一端はトリガスイッチの可動部材の突出部を押圧し、別端はスライドスイッチの一側に位置し、スライドスイッチのスライドによりトリガ部材が駆動されてトリガスイッチを起動する。
【０００９】
シュレッダーコアの入紙口に別にセンサスイッチが設けられ、該センサスイッチは該トリガスイッチとシュレッダーコア回路の間に直列に接続される。該センサスイッチは赤外線センサスイッチとされ得る。該センサスイッチによりシュレッダーコア回路を制御し、シュレッダーコアの非動作状態時の停電を確保し、電源を節約する。
【考案の効果】
【００１０】
本考案は既存の製品中の補助スイッチ（安全確保に用いられる）設計をトリガスイッチとなしている。正常待機状態では、スライドスイッチはオン状態とされ、この時、シュレッダーは電源が導通しておらず、ゆえに電気エネルギー消耗の状況は発生しない。紙が入紙口に挿入されると、紙がトリガスイッチを起動し、シュレッダーの電源が導通し、シュレッダーが動作開始する。紙の粉砕完了後、トリガスイッチは即刻停電し、全体のシュレッダーは停電状態とされ、電気エネルギーの損耗を発生しない。
【００１１】
シュレッダーに紙詰まり現象が発生して、紙を退出させる必要が生じると、スライドスイッチは反転状態に操作される必要がある。ツール軸中の紙屑或いは紙がトリガスイッチを起動するか否かを確定できないため、強制的にトリガスイッチをオンしてシュレッダーに順調に退紙させることができる。ゆえに本考案はトリガ部材を利用し、トリガスイッチを起動することで、全体のシュレッダーの電源を導通させて、動作開始させることができる。
【００１２】
本考案はシュレッダーの不使用時には、シュレッダーが即刻停電し、電気エネルギーを節約できる。また、本考案は退紙状態の時、電気回路に電源を導通させられ、シュレッダーの退紙機能に影響を与えない。
【図面の簡単な説明】
【００１３】
【図１】周知のシュレッダーの電気回路図である。
【図２】本考案の電気回路図である。
【図３】本考案のシュレッダーコアの俯瞰図である。
【図４】本考案の別の実施例のシュレッダーコアの俯瞰図である。
【考案を実施するための形態】
【００１４】
以下に図面を参照し複数の実施例を詳細に説明して本考案の理解を深める。
【００１５】
図２、３に示されるように、本考案はシュレッダーコア１と、シュレッダーコア１の回路の動作を制御するスライドスイッチ２及び全体回路を制御するトリガスイッチ３を包含する。そのうち、トリガスイッチ３はシュレッダーコア１の入紙口１１部分に設置され、該スライドスイッチ２の傍らに該トリガスイッチ３を起動するトリガ部材４が設置される。
【００１６】
図２に示されるように、上述のトリガスイッチ３は、スイッチ３１と、該スイッチ３１と連動する可動部材３２及び弾性部材３３を包含する。入紙口１１の入紙チャネル１０の側壁には可動部材３２の伸縮に供される貫通孔が開設され、可動部材３２の一端は該貫通孔をとおり入紙チャネル１０内に進入する。可動部材３２の別端は該弾性部材３３上に圧接し、並びにスイッチ３１と連動する。弾性部材３３にはバネが採用され、それ自身の弾力作用下で、可動部材３２を入紙チャネル１０内に向けて押し出す。可動部材３２の下方には連動ロッド３４が設けられ、該連動ロッド３４の一端は弾性部材３３に当接し、別端はスイッチ３１の接触点３１１上に位置する。粉砕された紙が入紙口１１より入紙チャネル１０に進入した後、紙が可動部材３２を通過する時、弾性部材３３の弾力を克服して可動部材３２を内縮させ、並びに連動ロッド３４を押動し、これによりスイッチ３１の接触点３１１を制圧し、これによりトリガスイッチ３を導通させる。
【００１７】
上述のトリガ部材４はシュレッダーコア１内に枢着されたレバーとされる。可動部材３２には突出部３２１が形成され、トリガ部材４の一端はトリガスイッチ３の可動部材３２の突出部３２１を押圧し、別端はスライドスイッチ２の「反転」の一側に位置し、スライドスイッチ２のスライドによりトリガ部材４が駆動されてトリガスイッチ３を起動する。
【００１８】
シュレッダーに紙詰まり現象が発生して、紙を退出させる必要がある時は、スライドスイッチ２を「反転」位置に操作しなければならない。スライドスイッチ２はスライド時に側辺に位置するトリガ部材４を押動して逆時計回りに回転させ、これによりトリガ部材４の上端に下向きに可動部材３２を制圧させ、こうしてスイッチ３１をトリガし、トリガスイッチ３の電源を導通させ、シュレッダーに動作開始させる。
【００１９】
図４に示される本考案の別の実施例中、シュレッダーコア１の入紙口１１に別にセンサスイッチ５が設けられ、該センサスイッチ５はトリガスイッチ３とシュレッダーコア１回路の間に直列に接続される。紙を入紙口１１より挿入するだけで、該センサスイッチ５をトリガでき、シュレッダーコア１のモータを動作開始させることができる。もし入紙口に紙を挿入しなければ、センサスイッチ５は切断され、回路中の指示ランプは全部消灯し、節電効果を達成する。そのうち、該センサスイッチ５に赤外線センサスイッチを選択可能である。
【００２０】
総合すると、本考案の技術内容及び技術特徴は上述したとおりであるが、当業者が本考案の記載内容に基づきなし得る、本考案の精神から離脱しない置換及び修飾は、いずれも本考案の権利請求範囲内に属するものとする。
【符号の説明】
【００２１】
１  シュレッダーコア
２  スライドスイッチ
３  トリガスイッチ
１０  入紙チャネル
１１  入紙口
３１  スイッチ
３２  可動部材
３３  弾性部材
３４  連動ロッド
３１１  接触点
３２１  突出部
５  センサスイッチ
【図１】
0003162107.tif 000003
【図２】
0003162107.tif 000004
【図３】
0003162107.tif 000005
【図４】
0003162107.tif 000006